【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
シリアルデータを送受信可能なシリアルバスを介して、データを送信する送信ノードと、上記送信ノードから送信されたデータを受信する受信ノードとが接続された通信システムであって、
制御データを出力する制御手段を有し、
上記送信ノードは、上記シリアルバスを介してデータを送信するための送信手段と、上記送信手段にデータを出力可能な出力手段を有するとともに、上記制御手段からの制御データにより制御可能な所定の機能を有する機能動作手段と、上記送信手段と上記出力手段との接続状態を制御する通信路制御手段とを有し、
上記制御データは、一の制御命令を用いて送信可能な上記送信手段と上記出力手段との接続状態を制御するための制御データを含むことを特徴とする通信システム。
【請求項２】
上記制御データは、上記送信手段を識別するデータおよび上記出力手段を識別するためのデータを含むことを特徴とする請求項１に記載の通信システム。
【請求項３】
上記制御データは、さらに上記送信手段と上記出力手段との接続状態の制御にて排他制御を行うためのデータを含むことを特徴とする請求項１または２に記載の通信システム。
【請求項４】
上記機能動作手段は、データを記録するための記録手段であり、
上記送信手段は、上記記録手段に記録されたデータを送信可能であることを特徴とする請求項１から３のいずれかに記載の通信システム。
【請求項５】
シリアルデータを送受信可能なシリアルバスを介して、データを送信する送信ノードと、上記送信ノードから送信されたデータを受信する受信ノードとが接続された通信システムであって、
制御データを出力する制御手段を有し、
上記受信ノードは、上記シリアルバスを介してデータを受信するための受信手段と、上記受信手段で受信したデータを入力可能な入力手段を有するとともに、上記制御手段からの制御データにより制御可能な所定の機能を有する機能動作手段と、上記受信手段と上記入力手段との接続状態を制御する通信路制御手段とを有し、
上記制御データは、一の制御命令を用いて送信可能な上記受信手段と上記入力手段との接続状態を制御するための制御データを含むことを特徴とする通信システム。
【請求項６】
上記制御データは、上記受信手段を識別するデータおよび上記入力手段を識別するためのデータを含むことを特徴とする請求項５に記載の通信システム。
【請求項７】
上記制御データは、さらに上記受信手段と上記入力手段との接続状態の制御にて排他制御を行うためのデータを含むことを特徴とする請求項５または６に記載の通信システム。
【請求項８】
上記シリアルバスは、ＩＥＥＥ１３９４規格に準拠したシリアルバスであり、上記送信ノードと上記受信ノードとの間でのデータの送受信はアシンクロナス転送により行われることを特徴とする請求項１から７のいずれかに記載の通信システム。
【請求項９】
シリアルデータを送受信可能なシリアルバスを介して、データを受信する受信ノードに接続された端末装置であって、
上記シリアルバスを介してデータを送信するための送信手段と、
上記送信手段にデータを出力可能な出力手段を有するとともに、制御データに基づいて制御可能な所定の機能を有する機能動作手段と、
上記送信手段と上記出力手段との接続状態を、一の制御命令を用いて送信された制御データに基づいて制御可能な通信路制御手段とを有することを特徴とする端末装置。
【請求項１０】
上記一の制御命令を用いて送信される制御データは、上記送信手段と上記出力手段との接続状態の制御にて排他制御を行うためのデータを含むことを特徴とする請求項９に記載の端末装置。
【請求項１１】
シリアルデータを送受信可能なシリアルバスを介して、データを送信する送信ノードに接続された端末装置であって、
上記シリアルバスを介してデータを受信するための受信手段と、
上記受信手段で受信したデータを入力可能な入力手段を有するとともに、制御データに基づいて制御可能な所定の機能を有する機能動作手段と、
上記受信手段と上記入力手段との接続状態を、一の制御命令を用いて送信された制御データに基づいて制御可能な通信路制御手段とを有することを特徴とする端末装置。
【請求項１２】
上記一の制御命令を用いて送信される制御データは、上記受信手段と上記入力手段との接続状態の制御にて排他制御を行うためのデータを含むことを特徴とする請求項１１に記載の端末装置。
【手続補正２】
【補正対象書類名】明細書
【補正対象項目名】発明の名称
【補正方法】変更
【補正の内容】
【発明の名称】通信システムおよび端末装置
【手続補正３】
【補正対象書類名】明細書
【補正対象項目名】０００１
【補正方法】変更
【補正の内容】
【０００１】
本発明は、データ通信を行う通信システムおよび端末装置に用いて好適なものである。
【手続補正４】
【補正対象書類名】明細書
【補正対象項目名】００１７
【補正方法】変更
【補正の内容】
【００１７】
本発明に係る通信システムは、シリアルデータを送受信可能なシリアルバスを介して、データを送信する送信ノードと、上記送信ノードから送信されたデータを受信する受信ノードとが接続された通信システムであって、制御データを出力する制御手段を有し、上記送信ノードは、上記シリアルバスを介してデータを送信するための送信手段と、上記送信手段にデータを出力可能な出力手段を有するとともに、上記制御手段からの制御データにより制御可能な所定の機能を有する機能動作手段と、上記送信手段と上記出力手段との接続状態を制御する通信路制御手段とを有し、上記制御データは、一の制御命令を用いて送信可能な上記送信手段と上記出力手段との接続状態を制御するための制御データを含むことを特徴とする。
【手続補正５】
【補正対象書類名】明細書
【補正対象項目名】００１８
【補正方法】変更
【補正の内容】
【００１８】
本発明に係る他の通信システムは、シリアルデータを送受信可能なシリアルバスを介して、データを送信する送信ノードと、上記送信ノードから送信されたデータを受信する受信ノードとが接続された通信システムであって、制御データを出力する制御手段を有し、上記受信ノードは、上記シリアルバスを介してデータを受信するための受信手段と、上記受信手段で受信したデータを入力可能な入力手段を有するとともに、上記制御手段からの制御データにより制御可能な所定の機能を有する機能動作手段と、上記受信手段と上記入力手段との接続状態を制御する通信路制御手段とを有し、上記制御データは、一の制御命令を用いて送信可能な上記受信手段と上記入力手段との接続状態を制御するための制御データを含むことを特徴とする。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】変更
【補正の内容】
【００２３】
本発明に係る端末装置は、シリアルデータを送受信可能なシリアルバスを介して、データを受信する受信ノードに接続された端末装置であって、上記シリアルバスを介してデータを送信するための送信手段と、上記送信手段にデータを出力可能な出力手段を有するとともに、制御データに基づいて制御可能な所定の機能を有する機能動作手段と、上記送信手段と上記出力手段との接続状態を、一の制御命令を用いて送信された制御データに基づいて制御可能な通信路制御手段とを有することを特徴とする。
【手続補正１１】
【補正対象書類名】明細書
【補正対象項目名】００２４
【補正方法】変更
【補正の内容】
【００２４】
本発明に係る他の端末装置は、シリアルデータを送受信可能なシリアルバスを介して、データを送信する送信ノードに接続された端末装置であって、上記シリアルバスを介してデータを受信するための受信手段と、上記受信手段で受信したデータを入力可能な入力手段を有するとともに、制御データに基づいて制御可能な所定の機能を有する機能動作手段と、上記受信手段と上記入力手段との接続状態を、一の制御命令を用いて送信された制御データに基づいて制御可能な通信路制御手段とを有することを特徴とする。
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】